(57)【要約】【課題】本発明は、安定した電気的接続をもたらすコネクタ装置を提供することを目的とする。【解決手段】本発明は、ハードディスクとメインボードとを電気的に接続するコネクタ装置において、コネクタ装置は、第一コネクタと、第二コネクタと、を備え、第一コネクタは、第一絶縁性本体と、第一絶縁性本体の内部に設置されると共に導電線によってハードディスクに電気的に接続された複数の導電性接続部と、第一絶縁性本体の側面に設置されたロック部と、を備え、第二コネクタは、第二絶縁性本体と、第二絶縁性本体の内部に設置されると共にメインボードに電気的に接続された複数の導電性バネ部と、第二絶縁性本体の側面に設置されたロック突起と、を備え、ロック突起とロック部とが互いに係合すると共に、複数の導電性バネ部と複数の導電性接続部とがそれぞれ互いに接触することで、ハードディスクとメインボードとが電気的に接続される。【選択図】図２
2013016489.tif 000002
【特許請求の範囲】
【請求項１】
ハードディスクとメインボードとを電気的に接続するコネクタ装置において、前記コネクタ装置は、第一コネクタと、第二コネクタと、を備え、
前記第一コネクタは、第一絶縁性本体と、前記第一絶縁性本体の内部に設置されると共に導電線によって前記ハードディスクに電気的に接続された複数の導電性接続部と、前記第一絶縁性本体の側面に設置されたロック部と、を備え、
前記第二コネクタは、第二絶縁性本体と、前記第二絶縁性本体の内部に設置されると共に前記メインボードに電気的に接続された複数の導電性バネ部と、前記第二絶縁性本体の側面に設置されたロック突起と、を備え、
前記ロック突起と前記ロック部とが互いに係合すると共に、前記複数の導電性バネ部と前記複数の前記導電性接続部とがそれぞれ互いに接触することで、前記ハードディスクと前記メインボードとが電気的に接続されることを特徴とするコネクタ装置。
【請求項２】
前記ロック部は、主体部と、連結部と、係合部と、を備え、
前記連結部は、前記主体部を前記第一絶縁性本体の前記側面に連結し、
前記係合部は、前記主体部の前記第二コネクタ側の端部から、前記第一絶縁性本体の方向に突出して形成され、前記ロック突起に係合して前記第一コネクタと前記第二コネクタとが互いに離脱するのを防止することを特徴とする請求項１に記載のコネクタ装置。
【請求項３】
前記係合部は前記ロック突起と相対する一方の接触面を備え、前記ロック突起は前記ロック部と相対する他方の接触面を備え、前記一方の接触面と前記他方の接触面とが互いに接触することを特徴とする請求項２に記載のコネクタ装置。
【請求項４】
前記主体部は棒状であり、且つ前記第一絶縁性本体の軸方向に平行して延在することを特徴とする請求項２又は３に記載のコネクタ装置。
【請求項５】
前記連結部は棒状であり、該連結部の両端が前記主体部と前記第一絶縁性本体とにそれぞれ一体に接続されていることを特徴とする請求項２から３の何れか一項に記載のコネクタ装置。
【発明の詳細な説明】
【技術分野】
【０００１】
本発明は、コネクタ装置に関するものである。
【背景技術】
【０００２】
コンピュータにおいて、ハードディスクは重要な部品であり、オス型コネクタとメス型コネクタとによりメインボードと電気的に接続される。しかし、コンピュータを使用している際、ハードディスクを度々取り出すことで、オス型コネクタとメス型コネクタとの接続部分が緩くなり、その結果、ハードディスクとメインボードとの間の電気的接続が不安定になり、且つハードディスクが認識されないという状況が起こる。
【発明の概要】
【発明が解決しようとする課題】
【０００３】
以上の問題点に鑑みて、本発明は、安定した電気的接続をもたらすことができるコネクタ装置を提供することを目的とする。
【課題を解決するための手段】
【０００４】
ハードディスクとメインボードとを電気的に接続するコネクタ装置において、前記コネクタ装置は、第一コネクタと、第二コネクタと、を備え、前記第一コネクタは、第一絶縁性本体と、前記第一絶縁性本体の内部に設置されると共に導電線によって前記ハードディスクに電気的に接続された複数の導電性接続部と、前記第一絶縁性本体の側面に設置されたロック部と、を備え、前記第二コネクタは、第二絶縁性本体と、前記第二絶縁性本体の内部に設置されると共に前記メインボードに電気的に接続された複数の導電性バネ部と、前記第二絶縁性本体の側面に設置されたロック突起と、を備え、前記ロック突起と前記ロック部とが互いに係合すると共に、前記複数の導電性バネ部と前記複数の導電性接続部とがそれぞれ互いに接触することで前記ハードディスクと前記メインボードとが電気的に接続される。
【発明の効果】
【０００５】
本発明に係るコネクタ装置は、前記ロック突起と前記ロック部との係合によって、前記第一コネクタの導電性接続部と前記第二コネクタの導電性バネ部とが接続されて、前記ハードディスクと前記メインボードとの間の電気的接続が安定し、且つ前記ハードディスクが認識されないという不具合を防ぐことができる。
【図面の簡単な説明】
【０００６】
【図１】本発明に係るコネクタ装置の斜視図である。
【図２】図１に示したコネクタ装置の分解図である。
【図３】図１に示したコネクタ装置の断面図である。
【発明を実施するための形態】
【０００７】
以下、図面に基づいて、本発明に係るコネクタ装置について詳細に説明する。
【０００８】
図１〜図３に示したように、本発明に係るコネクタ装置１００は、ハードディスク２００とメインボード３００とを電気的に接続するためのものであり、第一コネクタ１０と第二コネクタ３０とを備える。前記第一コネクタ１０はハードディスク２００に電気的に接続されており、前記第二コネクタ３０は前記メインボード３００に電気的に接続されている。前記第一コネクタ１０は、第一絶縁性本体１０１と、複数の導電性接続部１０３と、ロック部１０５と、を備えている。前記複数の導電性接続部１０３は、前記第一絶縁性本体１０１の内部に設置されており、導電線１０４によって前記ハードディスク２００に電気的に接続されている。前記ロック部１０５は、前記第一絶縁性本体１０１の側面１０１１に設置されている。前記ロック部１０５は、主体部１０５１と、連結部１０５３と、係合部１０５５と、を備えている。前記連結部１０５３は、前記主体部１０５１と前記側面１０１１と連結する。前記主体部１０５１は棒状であり、前記第一絶縁性本体１０１の軸線方向に平行して延在する。前記連結部１０５３も棒状であり、前記側面１０１１に対して垂直に延在する。前記連結部１０５３の両端は、前記主体部１０５１及び前記第一絶縁性本体１０１にそれぞれ一体的に接続されている。なお、前記連結部１０５３は、前記側面１０１１に対して傾斜して延在していてもよい。
【０００９】
前記係合部１０５５は、前記主体部１０５１の前記第二コネクタ３０側（図３における下側）の端部から、前記第一絶縁性本体１０１の方向（すなわち、主体部１０５１から第一絶縁性本体１０１に向かう方向）に突出して形成されている。当該係合部１０５５は、前記第一コネクタ１０が前記第二コネクタ３０から離脱するのを防止する。前記係合部１０５５は、第一接触面１０５７及び第二接触面１０５９を有している。本発明の実施形態において、前記第一接触面１０５７は、前記主体部１０５１の表面に対して垂直に形成されており、前記第二接触面１０５９は前記第一接触面１０５７に対して垂直（つまり、前記主体部１０５１の表面に対して平行）に形成されている。なお、前記第一接触面１０５７は前記主体部１０５１の表面に対して傾斜していてもよく、また、前記第二接触面１０５９は前記第一接触面１０５７に対して傾斜していてもよい。
【００１０】
前記第二コネクタ３０は、前記メインボード３００に固定されており、第二絶縁性本体３０１と、複数の導電性バネ部３０３と、ロック突起３０５と、を備えている。前記複数の導電性バネ部３０３は、前記第二絶縁性本体３０１の内部に設置されていると共に、前記メインボード３００に電気的に接続されている。前記ロック突起３０５は、前記第二絶縁性本体３０１の側面３０１１に設置され、前記ロック部１０５と係合する。前記複数の導電性バネ部３０３と前記複数の導電性接続部１０３とはそれぞれ１つずつ互いに接触されており、それにより、前記ハードディスク２００と前記メインボード３００とを電気的に接続する。
【００１１】
前記ロック突起３０５は前記側面３０１１から突出しており、且つ第三接触面３０５１を有している。前記第三接触面３０５１は、前記第一コネクタ１０に抵触せず離れて設置される。つまり、前記第三接触面３０５１は前記ロック部１０５と相対し、前記第一接触面１０５７は前記ロック突起３０５と相対する。本実施形態において、前記第三接触面３０５１は、前記側面３０１１に対して垂直に形成されているが、前記側面３０１１に対して傾斜して形成されてもよい。
【００１２】
前記第一コネクタ１０を前記第二コネクタ３０に差し込む際、前記ロック突起３０５を前記ロック部１０５と係合させて、前記第一コネクタ１０と前記第二コネクタ３０を接続させる。具体的には、前記第三接触面３０５１は前記第一接触面１０５７と接触し、前記第二接触面１０５９は前記側面３０１１と接触する。
【００１３】
また、前記第一コネクタ１０を前記第二コネクタ３０から容易に取り外すことができるように、前記ロック部１０５はさらに操作部１０５８を備える。前記操作部１０５８は、前記主体部１０５１における前記係合部１０５５側の反対側の端部（図３における上端）から、前記係合部１０５５と逆方向に突出して形成されている。つまり、前記主体部１０５１の一端に係合部１０５５が設けられ、前記主体部１０５１の他端に操作部１０５８が設けられ、これら係合部１０５５及び操作部１０５８は互いに逆向きに突出している。このような構成により、前記操作部１０５８を前記第一コネクタ１０の前記第一絶縁性本体１０１側に向かって押すだけで、前記ロック部１０５の前記係合部１０５５が前記ロック突起３０５から離脱するので、前記第一コネクタ１０と前記第二コネクタ３０との着脱が容易である。
【００１４】
本発明のコネクタ装置１００は、前記ロック突起３０５と前記ロック部１０５の係合によって、前記第一コネクタ１０の前記導電性接続部１０３と前記第二コネクタ３０の導電性バネ部３０３とが接続されるので、前記ハードディスク２００と前記メインボード３００との間の電気的接続が安定し、且つ前記ハードディスク２００が認識されないという不具合を防ぐことができる。
【００１５】
以上、本発明の好適な実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは、言うまでもない。
【符号の説明】
【００１６】
１００              コネクタ装置
２００              ハードディスク
３００              メインボード
１０                第一コネクタ
３０                第二コネクタ
１０１              第一絶縁性本体
１０３              導電性接続部
１０４              導電線
１０５              ロック部
１０１１、３０１１  側面
１０５１            主体部
１０５３            連結部
１０５５            係合部
１０５７            第一接触面
１０５８            操作部
１０５９            第二接触面
３０１              第二絶縁性本体
３０３              導電性バネ部
３０５              ロック突起
３０５１            第三接触面
【図１】
2013016489.tif 000003
【図２】
2013016489.tif 000004
【図３】
2013016489.tif 000005